(57)【要約】【課題】携帯端末装置に放送信号受信用のアンテナを設けない場合でも、良好な受信特性を維持できるとともに、携帯性に優れた構成を実現する。【解決手段】クレードル２と携帯端末装置１を備えて構成される携帯無線装置において、クレードル２には、放送信号受信用のアンテナ２２を内蔵し、受信した放送信号を送信する接点２１と、携帯端末装置１を装着する端末装着部２３とを備える。携帯端末装置１には、放送信号をクレードル２の接点２１を介して受信する接点１１を設け、受信した放送信号を復調する放送受信回路部１４を備える。また、受信した放送信号の帯域切り替えを行い、放送受信回路部１４へ出力する帯域切替え回路部１２を備え、受信する放送信号の帯域に合わせた周波数への切り替えを行う。【選択図】図１
2010199743.tif 000002
【特許請求の範囲】
【請求項１】
放送信号受信用のアンテナが内蔵され、当該アンテナで受信した放送信号を送信する接点と、携帯端末装置を着脱可能に装着する端末装着部とを備えたクレードルと、
前記クレードルの端末装着部に装着し、前記クレードルのアンテナによって受信した放送信号を、前記クレードルの接点を介して受信する接点と、
前記接点を介して受信した放送信号を復調する放送受信回路部と、
を備えた携帯端末装置と、
を備えて構成される携帯無線装置。
【請求項２】
請求項１記載の携帯無線装置において、
前記携帯端末装置に、前記接点から受信した放送信号を入力し、入力した放送信号の帯域切り替えを行い、前記放送受信回路部へ出力する帯域切替え回路部を備える
携帯無線装置。
【請求項３】
請求項２記載の携帯無線装置において、
前記携帯端末装置の帯域切替え回路部は、
前記受信した放送信号の周波数を、高い周波数と低い周波数の２状態を切り替える２状態切替え部と、
前記受信した放送信号の周波数を、連続的に高い状態または低い状態へ切り替える連続切替え部とを備え、
前記２状態切替え部と前記連続切替え部との組み合わせにより、受信する放送信号の帯域に合わせた周波数への切り替えを行う
携帯無線装置。
【請求項４】
請求項３記載の携帯無線装置において、
前記携帯端末装置の帯域切替え回路部の２状態切替え部は、スイッチング機能を持つ素子と、コイルを並列に接続して構成する、
携帯無線装置。
【請求項５】
請求項３記載の携帯無線装置において、
前記携帯端末装置の帯域切替え回路部の連続切替え部は、可変容量素子で構成する、
携帯無線装置。
【請求項６】
請求項２または請求項３記載の携帯無線装置の前記携帯端末装置において、
ユーザが、受信する放送の選局操作を行う操作部と、
前記選局された放送信号の周波数を良好に受信するための、前記帯域切替え回路部の制御状態を定義する制御情報記憶部とを備え、
前記帯域切替え回路部は、前記操作部からの選局情報を基に前記制御情報記憶部から取得された制御情報を入力し、帯域切り替えを行う
携帯無線装置。
【請求項７】
前記携帯端末装置に放送信号受信用アンテナを備え、
前記携帯端末装置を前記クレードルに装着しない場合は、前記携帯端末装置に備えた放送信号受信用アンテナで受信した放送信号を、前記帯域切替え回路部への入力とし、前記携帯端末装置を前記クレードルに装着した場合は、前記クレードルに内蔵する放送信号受信用アンテナで受信した放送信号を、前記帯域切替え回路部への入力とする、放送信号切替え部を備える
請求項２から請求項６のいずれかに記載の携帯無線装置。
【発明の詳細な説明】
【技術分野】
【０００１】
本発明は、携帯端末用台に設けた放送信号受信用アンテナを介して放送信号を受信する携帯無線装置に関する。
【背景技術】
【０００２】
近年、携帯電話機やＰＤＡ（Personal Digital Assistant）などの携帯端末装置を受信対象とする地上デジタルテレビジョン放送による放送サービスとして、ワンセグメント放送（ワンセグ（１ｓｅｇ））が開始された。また地上デジタルラジオ放送（いわゆる３セグ）やＭｅｄｉａＦＬＯ（メディアフロー）サービスなどの実用化試験放送も行われている。このような、ワンセグに代表される放送を受信できる携帯端末装置においては、一般的に受信にはホイップアンテナあるいはアンテナ兼用イアホンケーブル等が多く使用される。一方、デザインの多様性が求められる場合には、携帯端末装置の外部にはアンテナを設けず、アンテナを端末に内蔵する構成が望ましい。ところが、このような内蔵アンテナは、放送信号の受信環境が悪い場所においては、良好な受信ができない場合がある。特に、受信環境の悪い屋内では、良好な受信状態を得ることが難しい。
【０００３】
特許文献１には、屋内において良好な受信を可能とする携帯端末及びクレードル構成が開示されている。この装置は、クレードル（携帯端末用台）にケーブルの一端を接続し、その他端に外部アンテナを設置する構成である。この外部アンテナを屋外に置くことによって、屋内環境での利用において、放送信号の良好な受信を可能としている。
【先行技術文献】
【特許文献】
【０００４】
【特許文献１】特開２００７−２９５４３５号公報
【発明の概要】
【発明が解決しようとする課題】
【０００５】
しかし、上記従来の技術では、放送信号の受信状態が良好な場所に外部アンテナを設置し、その外部アンテナとクレードルをケーブルで接続する必要があるため、その設置作業が煩雑になるという問題がある。また、固定設置された外部アンテナに接続したクレードルに、携帯端末装置を装着した状態で使用するため、使用環境が屋内に限られてしまい、携帯性は非常に低いものとなる。
【０００６】
一方で、外部アンテナを用いず、携帯端末装置の内蔵アンテナのみで放送信号を良好に受信するためには、従来の電話や文字メッセージ等の通信に係る情報を送受信するための通信用アンテナに比べ、より大型のアンテナを内蔵する必要がある。このように、放送信号受信用アンテナを内蔵すると、携帯端末装置本体が大型化してしまうという問題がある。
【０００７】
本発明は、上記課題に鑑みてなされたものであり、携帯端末装置に放送信号受信用のアンテナを設けない場合でも、良好な受信特性を維持できるとともに、携帯性に優れた構成を実現できるようにすることを目的とする。
【課題を解決するための手段】
【０００８】
本発明は、クレードル（携帯端末用台）と携帯端末装置とを備えて構成される携帯無線装置である。クレードルには、放送信号受信用のアンテナが内蔵され、当該アンテナで受信した放送信号を送信する接点と、携帯端末装置を着脱可能に装着する端末装着部とを備える。また、携帯端末装置には、クレードルの端末装着部に装着し、クレードルの内蔵アンテナによって受信した放送信号を、クレードルの接点を介して受信する接点を設ける。そして、接点を介して受信した放送信号を復調する放送受信回路部を備えるようにした。
【０００９】
また、本発明は、携帯端末装置に、接点から受信した放送信号を入力し、入力した放送信号の帯域切り替えを行い、放送受信回路部へ出力する帯域切替え回路部を備える。この、帯域切替え回路部は、受信した放送信号の周波数を、高い周波数と低い周波数の２状態を切り替える２状態切替え部と、受信した放送信号の周波数を、連続的に高い状態または低い状態へ切り替える連続切替え部とを備える。更に、２状態切替え部と連続切替え部との組み合わせにより、受信する放送信号の帯域に合わせた周波数への切り替えを行うようにしたものである。
【００１０】
このように構成することで、クレードルに内蔵したアンテナで受信した放送信号をクレードルに装着した携帯端末装置で視聴することが可能になる。
【発明の効果】
【００１１】
本発明によると、携帯端末装置をクレードルに装着した状態で使用することにより、屋内などの放送信号の受信環境の悪い場所でも良好な受信が可能になるとともに、アンテナをクレードルに内蔵することで、クレードル自体の携帯性も向上する。また、携帯端末装置に放送信号受信用アンテナを内蔵しなくてもよいため、携帯端末装置の小型化が実現できる。
【図面の簡単な説明】
【００１２】
【図１】本発明の一実施の形態による全体構成例を示す斜視図である。
【図２】本発明の一実施の形態による内部構成例を示すブロック図である。
【図３】本発明の一実施の形態による帯域切替え回路部の構成例を示す構成図である。
【図４】本発明の一実施の形態によるアンテナの周波数特性例を示す説明図である。
【図５】本発明の一実施の形態による帯域切替え回路部の帯域切り替え処理例を示す説明図である。
【図６】本発明の一実施の形態による帯域切替え回路部の帯域切り替え特性例を示す説明図である。
【図７】本発明の一実施の形態による制御信号テーブル情報例を示す説明図である。
【図８】本発明の他の実施の形態による内部構成例を示すブロック図である。
【図９】本発明の他の実施の形態による帯域切替え回路部の構成例を示す構成図である。
【図１０】本発明の他の実施の形態による制御信号テーブル情報例を示す説明図である。
【発明を実施するための形態】
【００１３】
以下、本発明の実施の形態を、添付図面を参照して説明する。
【００１４】
図１に、本発明の一実施の形態例を表す携帯無線装置の全体構成例を示す。本例による携帯無線装置は、携帯端末装置１と携帯端末装置１を装着する携帯端末用台であるクレードル２から構成される。携帯端末装置１には、クレードル２に装着した場合に、クレードル２と電気的に接続する接点１１を備える。また、ユーザが放送（以降、放送サービスの一例としてワンセグを例に説明する。）の選局操作や、メールや通話などの操作を行うための操作釦や操作キーを備えた操作部１８と、受信したワンセグの画像やメールやその他情報を表示するための画像表示部１７を備える。
【００１５】
クレードル２には、携帯端末装置１を着脱自在に装着するための端末装着部２３を備え、携帯端末装置１を装着した場合に、携帯端末装置１と電気的に接続するための接点２１を備える。また、クレードル２の内部には、ワンセグ放送信号受信用のアンテナ２２を備える。なお、アンテナ２２は、クレードル２内部に位置するため、実際には、外部からは見えない構成となっている。また、携帯端末装置１の接点１１は、携帯端末装置１の本体外側に臨む構成とし、クレードル２に装着した場合に、クレードル２の端末装着部２３の表面に設けた接点２１と相対する位置に設ける。
【００１６】
図２に、携帯端末装置１とクレードル２の内部構成例を表す構成図を示す。クレードル２は、その内部にアンテナ２２を備え、アンテナ２２で受信したワンセグ放送信号は、接点２１を介してクレードル２に装着された携帯端末装置１へ送信される。
【００１７】
携帯端末装置１には、接点１１と、帯域切替え回路部１２と、チューナ部１３と、放送受信回路部１４と、ＣＰＵ（Central Processing Unit：中央処理装置）１５と、情報記憶部１６と、画像表示部１７と、操作部１８を備える。
【００１８】
接点１１は、クレードル２の接点２１と電気的に接続し、接点２１を介して、クレードル２のアンテナ２２で受信したワンセグ放送信号を受信する。帯域切替え回路部１２は、接点１１で受信したワンセグ放送信号を入力し、ＣＰＵ１５からの制御指令を基に、放送信号の周波数帯域の切り替えを行い、帯域切り替えを行ったワンセグ放送信号をチューナ部１３へ入力する。チューナ部１３は、ＣＰＵ１５からの制御指令を基に、視聴対象のチャネルの周波数の信号を選択取得し、その放送信号を放送受信回路部１４へ入力する。放送受信回路部１４は、入力した放送信号を復調し、映像信号や音声信号などの信号を取り出し、ＣＰＵ１５を介して画像表示部１７へ表示し、図示しない音声出力部へ出力する。なお、ここでは、放送信号から映像信号及び音声信号を取り出すようにしているが、放送信号に重畳されているその他情報についても、同様に取り出し、各情報に即した処理部による処理を行い、出力する。
【００１９】
ＣＰＵ１５は、ユーザが操作部１８から入力した視聴対象のワンセグ放送局のチャネル等の選局情報を入力し、その情報を基に情報記憶部１６に保存されたチャネル毎の制御信号テーブル情報を参照し、帯域切替え回路部１２へ制御信号を出力する。情報記憶部１６には、予め視聴対象のチャネルに対応する制御情報を保存しておく。制御情報は、視聴対象のチャネルに対応する周波数のワンセグ放送信号を良好に受信できるようにするため、帯域切替え回路部１２をどのように制御するかを定義した情報である。帯域切替え回路部１２は、ＣＰＵ１５から入力された制御信号を基に、帯域切替え回路の制御を行い、入力された放送信号の周波数を所定の周波数に切り替える。
【００２０】
また、ＣＰＵ１５は、情報記憶部１６から取得したチャネル毎の制御信号テーブル情報を基に、チューナ部１３を操作し、選択されたチャネルにチューナを合わせ、所定の周波数を選択取得するように制御する。チューナ部１３は、帯域切替え回路部１２から帯域切り替え後の放送信号を入力し、ＣＰＵ１５からの制御を受け、所定のチャネルに対応した周波数の放送信号を選択取得する。放送受信回路部１４は、チューナ部１３により選択取得された放送信号を入力し、放送信号から映像信号及び音声信号を取り出す。放送受信回路部１４が取り出した映像信号及び音声信号は、ＣＰＵ１５へ入力し、映像信号は画像表示部１７へ表示し、音声信号は、図示しないスピーカまたはイアホンなどの音声出力部へ出力する。
【００２１】
なお、本例では、選択されたチャネルに合わせ、所定の周波数の放送信号を取得するチューナ部１３と、取得された放送信号から映像信号及び音声信号を取り出す放送受信回路部１４を分けて構成しているが、それらの機能を１つの処理部で実現するような構成としてもよい。
【００２２】
また、本例の情報記憶部１６は、ＲＯＭ（Read Only Memory）などの記憶装置に制御信号テーブル情報を格納したものである。情報記憶部１６に格納された制御信号テーブル情報の例については、図７に示し、説明を後述する。
【００２３】
本例では、携帯端末装置１とクレードル２との接続は、接点１１及び接点１２で電気的に接続するが、これらは、物理的な金属接点として実現できる。なお、携帯端末装置１とクレードル２との接続は、これに限らず電磁的な接続としても実現できる。また、クレードル２側からのワンセグ放送信号を携帯端末装置１側へ伝送できる接続方法であれば、他の構成としてもよい。また、接点１１及び接点１２を設ける位置は、図１に示した位置に限らず、携帯端末装置１をクレードル２に装着した状態で放送信号の送受信が可能な位置であれば、他の位置に設けてもよい。
【００２４】
図３に、携帯端末装置１の帯域切替え回路部１２の構成例を表す構成図を示す。帯域切替え回路部１２は、入力した放送信号の周波数帯域の切り替えを行う高周波信号部分と、周波数切り替えのための機器の制御を行う制御信号部分に分けられる。高周波信号部分は、ＰＩＮダイオード３３、バラクタダイオード３４、直流成分を除去するコンデンサ３７ａ、３７ｂとインピーダンスを可変させるコイル３５で構成する。制御信号部分は、高周波信号を除去するチョークコイル３６ａ、３６ｂ、３６ｃ、バイパスコンデンサ３８ａ、３８ｂ、スイッチ３１、電流を制御する抵抗器３９、可変抵抗器３２、制御電圧部４０で構成する。
【００２５】
クレードル２のアンテナ２２で受信したワンセグ放送信号は、図示しない接点を介して携帯端末装置１の帯域切替え回路部１２へ入力し、入力した放送信号の周波数帯域の切り替えを行う高周波信号部分を介して、チューナ部１３へ出力する。高周波信号部分は、スイッチング機能を持つ素子であるＰＩＮダイオード３３と、インピーダンスを可変させるコイル３５を並列に接続し、ＰＩＮダイオード３３及びコイル３５の出力側に可変容量コンデンサの機能を持つ素子であるバラクタダイオード３４を接続する。そして、接点を介して入力した放送信号は、ＰＩＮダイオード３３またはコイル３５を経由し、次にバラクタダイオード３４を通り、バラクタダイオード３４のカソード側に接続されたチューナ部１３へ出力する。このように、本例では、高周波信号部分にある２つのダイオードの状態の切替えによって、受信したワンセグ放送信号の周波数帯域の切り替えを実現する。
【００２６】
このように、放送信号の周波数帯域の切り替えを行う理由について以下に説明する。
本例では、ワンセグ放送信号受信用のアンテナ２２をクレードル２に内蔵する構成とする。このため、クレードル２に装着する携帯端末装置１や、周辺環境などから受ける影響を最小限にするため、これらの影響を極力受けない位置、例えば、携帯端末装置１から遠い位置や、端末装着部２３に接しない部位等にアンテナ２２を配置するように構成する。しかし、アンテナの  受信特性を表すＶＳＷＲ特性（Voltage Standing Wave Ratio：電圧定在波比）は狭帯域となり、ワンセグ放送すべての帯域に対して十分な受信特性を得ることはできない。
【００２７】
図４に、アンテナをクレードルの内部に設けた場合のアンテナの周波数特性の例を示す。図４のグラフは、縦軸にＶＳＷＲ特性、横軸に周波数を表し、クレードル２に内蔵したアンテナ２２の周波数特性を表すグラフ４０１と、受信するワンセグ放送の周波数帯域４０２を示す。ここで、ＶＳＷＲ特性は値が小さいほど特性が良いため、放送信号を良好に受信するための要求レベル４０４以下の範囲が良好な受信が可能な周波数帯域となる。図４に示すように、クレードル２に内蔵したアンテナ２２の周波数特性では、受信可能な範囲４０３が狭くなり、ワンセグ放送すべての帯域に対して良好な受信特性を得ることはできない。そこで、本例では、携帯端末装置１側に帯域切替え回路部１２を設け、受信したワンセグ放送信号を所望の周波数に切り替えることでその問題を克服し、良好な受信を可能とする。
【００２８】
次に、本例による帯域切り替えの処理内容について、図３及び図５を参照して説明する。
【００２９】
まず、第１の帯域切り替え処理は、ＰＩＮダイオード３３のオン／オフにより、ワンセグ放送信号の周波数を、高い周波数と低い周波数の２状態に切り替える２状態切替え部３０１で行う。
【００３０】
２状態切替え部３０１は、放送信号の周波数を変換する高周波信号部分（ＰＩＮダイオード３３、コイル３５）と、高周波信号部分の素子を制御する制御信号部分（スイッチ３１、抵抗器３９）から構成する。高周波信号部分は、ＰＩＮダイオード３３と、コイル３５を並列に接続し、入力した放送信号はＰＩＮダイオード３３及びコイル３５を経由し、それらの出力側に接続したバラクタダイオード３４へ出力する。
制御信号部分は、制御電圧部４０の正極側に抵抗器３９を介してスイッチ３１の一端を接続し、スイッチ３１の他端を接地部４１ａに接続する。スイッチ３１の更に他端をＰＩＮダイオード３３及びコイル３５の放送信号入力側に接続する。
【００３１】
ワンセグ放送信号の周波数を、高い周波数と低い周波数の２状態に切り替える２状態切替え処理は、ＰＩＮダイオード３３のオン／オフによって実現する。ＰＩＮダイオードは、順方向に直流電圧を印加すると電流を流し、直流電圧を印加しない場合は、ＰＩＮダイオードのインピーダンスが大きくなるため電流を流さない。この電流を流す状態をオン、電流を流さない状態をオフと呼ぶ。ＰＩＮダイオード３３のオン／オフは、そのアノード側に印加される直流電圧の有無により制御されるため、制御信号部分にあるスイッチ３１のオン／オフによって切り替えることができる。
【００３２】
スイッチ３１がオフの場合は、スイッチ３１と抵抗器３９間は電気的に切断され、スイッチ３１は接地部４１ａ側に接続する。このとき、制御電圧部４０の直流電圧はＰＩＮダイオード３３には印加されないため、ＰＩＮダイオード３３の状態はオフとなる。ＰＩＮダイオードがオフのときはＰＩＮダイオードのインピーダンスが大きくなり、高インピーダンスとなるため、入力されたワンセグ放送信号は、ＰＩＮダイオード３３側を通ることができず、並列するコイル３５の方に流れる。このコイル３５を通すことによって、インピーダンスが可変にでき、周波数を低い状態に変化させることができる。
【００３３】
一方、スイッチ３１がオンの場合は、スイッチ３１と抵抗器３９間が接続され、制御電圧部４０によりＰＩＮダイオード３３のアノード側に直流電圧が印加される。このとき、ＰＩＮダイオード３３の状態はオンとなる。ＰＩＮダイオード３３がオンのときはＰＩＮダイオードのインピーダンスが小さくなり、低インピーダンスとなるため、入力されたワンセグ放送信号は、ＰＩＮダイオード３３側を流れる。この場合、ワンセグ放送信号はコイル３５を通らないので、ＰＩＮダイオード３３がオフのときに比べ高い周波数に変化させることができる。
【００３４】
図５の（Ａ）に、ワンセグ放送信号の周波数の２状態切り替え例を示す。図５の（Ａ）のグラフは、図４に示した周波数特性と同様に、縦軸にＶＳＷＲ特性、横軸に周波数を示し、受信するワンセグ放送信号の周波数帯域５０３を示す。ここで、スイッチ３１がオフの場合は、グラフ５０２の周波数特性となり、スイッチ３１がオンの場合は、グラフ５０１の周波数特性となる。このように、スイッチ３１のオン／オフの切り替えに伴うＰＩＮダイオード３３のオン／オフにより、ワンセグ放送信号の周波数を高い状態と低い状態の２状態に切り替えることができる。
【００３５】
次に、第２の帯域切り替え処理は、可変容量コンデンサの機能を持つ素子であるバラクタダイオード３４の静電容量の変更により、ワンセグ放送信号の周波数を、連続的に高い周波数または低い周波数へ切替える、連続切替え部３０２で行う。
【００３６】
連続切替え部３０２は、放送信号の周波数を変換する高周波信号部分（バラクタダイオード３４）と、高周波信号部分の素子を制御する制御信号部分（可変抵抗器３２）から構成する。高周波信号部分は、バラクタダイオード３４を２状態切替え部３０１のＰＩＮダイオード３３及びコイル３５の出力側に接続し、バラクタダイオード３４のカソード側をチューナ部１３へ接続する。ＰＩＮダイオード３３またはコイル３５から入力した放送信号は、バラクタダイオード３４を経由して、バラクタダイオード３４のカソード側に接続されたチューナ部１３へ出力する。
制御信号部分は、制御電圧部４０の正極側に可変抵抗器３２の一端を接続し、可変抵抗器３２の他端をバラクタダイオード３４のカソード側に接続する。
【００３７】
バラクタダイオード３４には、スイッチ３１のオン／オフに関わらず、制御電圧部４０により常に直流電圧が印加される。また、可変抵抗器３２を変化させることによって、バラクタダイオード３４のカソード側に印加する直流電圧を制御することができる。バラクタダイオード３４は、逆方向に印加する直流電圧によってダイオードのＰＮ接合の空乏層の厚みが変化することによる、静電容量の変化を利用した可変容量コンデンサとして用いることができる。そのため、直流電圧を連続的に変化させることによる静電容量の変化に伴い、インピーダンスも連続的に変化させることができ、結果的に入力されたワンセグ放送信号の周波数を連続的に変化させることができる。
【００３８】
図５の（Ｂ）に、ワンセグ放送信号の周波数の連続切り替え例を示す。図５の（Ｂ）のグラフは、図４に示した周波数特性と同様に、縦軸にＶＳＷＲ特性、横軸に周波数を示し、受信するワンセグ放送の周波数帯域５０５を示す。ここで、可変抵抗器３２を変化させることによる電圧制御により、グラフ５０４の周波数特性は、矢印５０６に示したように連続的に高い状態または低い状態へと変化させることができる。
【００３９】
本例では、上記に説明した２状態切替え処理と連続切替え処理を組み合わせて周波数を切り替えることにより、ワンセグ放送すべての周波数帯域について、良好な受信特性を得ることができる。
【００４０】
図６に、本例による帯域切替え回路部１２の帯域切り替え特性の例を表すグラフを示す。図６において、縦軸にＶＳＷＲ特性、横軸に周波数を示し、受信するワンセグ放送の周波数帯域６０３を示す。本例による帯域切り替え処理においては、スイッチ３１のオン／オフ切り替え制御に伴うＰＩＮダイオード３３のオン／オフにより、図６の実線で表す周波数の高い状態６０１と低い状態６０２の２状態に切り替える。更に、可変抵抗器３２を変化させる電圧制御に伴うバラクタダイオード３４の静電容量の変更により、図６の点線で示すグラフ６０４のように周波数を連続的に切り替えることができる。このように、本例による帯域切り替え処理によれば、ワンセグの周波数帯域全ての放送信号を良好に受信することができる。
【００４１】
なお、本例の制御信号部分を構成する機器として、具体的には、スイッチ３１はＧＰＩＯ（General Purpose Input/Output）で、可変抵抗器３２はＰＷＭ（Pulse Width Modulation）で実現することができる。情報記憶部１６には、ワンセグの各チャネルに対応した周波数に帯域切替え回路部１２の特性を合わせるため、チャネル毎のバラクタダイオード制御用のアナログ電圧（ＰＷＭ出力）とＰＩＮダイオード制御用のデジタル信号（ＧＰＩＯのＨ／Ｌまたは１／０）の制御信号のデータをテーブルとして予め定義しておく。
【００４２】
図７に、情報記憶部１６に保存された制御信号テーブル情報の例を示す。制御信号テーブル情報には、チャネル７０１、ＰＷＭ出力７０２、ＧＰＩＯ出力７０３を定義し、選局されたチャネルに対応した周波数特性を得るためのＰＷＭ出力値と、ＧＰＩＯの出力信号（Ｈ／Ｌ）を定義しておく。なお、図示した値は、便宜上示した例であり、実際には、対象とするワンセグ放送信号の周波数に応じた値として定義するものである。実際の操作においては、ユーザが所望のチャネルを携帯端末装置１の操作部１８を操作することにより選局し、その選局されたチャネル情報は、ＣＰＵ１５へ入力される。ＣＰＵ１５は、情報記憶部１６を参照し、選局されたチャネルに対応するＰＷＭ出力値とＧＰＩＯの出力信号を取得し、その情報を基に、帯域切替え回路部１２に制御信号を出力する。帯域切替え回路部１２では、ＣＰＵ１５からの制御信号を基に、ＰＷＭ出力とＧＰＩＯを制御し、所望の周波数特性を得ることができる。
【００４３】
なお、本例の帯域切替え回路部１２における、ワンセグ放送信号の周波数帯域の切り替えは、ＰＩＮダイオード３３とバラクタダイオード３４の組み合わせにより実現するように説明したが、その他のダイオードやＭＥＭＳ（Micro Electro Mechanical Systems）可変容量素子などの素子を用いることで、同様の周波数切り替え機能を実現することもできる。例えば、バラクタダイオードを２個組み合わせることによる周波数帯域の切り替えを行う構成としてもよい。また、ＰＩＮダイオードの代わりに、ＦＥＴ（Field effect transistor：電界効果型トランジスタ）やＭＥＭＳ等のスイッチング機能を持つ素子などを用いる構成としてもよい。また、本例の帯域切替え回路部１２において、上記ダイオードを制御する制御信号部分には、スイッチと、可変抵抗器を用いており、一例としてスイッチにＧＰＩＯ、可変抵抗器にＰＷＭを用いて構成するように説明した。これについても、同様の機能を持つ他の機器を用いて構成することもできる。
【００４４】
本発明の他の実施の形態として、携帯端末装置に放送信号受信用アンテナを内蔵し、携帯端末装置をクレードルに装着しない場合は、携帯端末装置内のアンテナから受信した放送信号を帯域切替え回路部１２への入力とする信号切り替え部を設ける構成としてもよい。
【００４５】
図８、図９に本発明の他の実施の形態例を表す携帯無線装置の内部構成例及び帯域切り替え回路部構成例を示す。なお、図８、図９において、図２、図３の構成例と同様の構成については、同じ符号をつけて、説明を省略する。図８では、携帯端末装置１の内部に、ワンセグ放送信号受信用のアンテナ１９を備える。また、帯域切り替え回路部１２と接点１１との間に信号切替え部２０を設け、アンテナ１９からの信号を信号切替え部２０へ入力するように構成する。信号切替え部２０は、接点１１を介して入力されるクレードル２のアンテナで受信したワンセグ放送信号と、アンテナ１９で受信したワンセグ放送信号とを切り替える。信号切替え部２０による放送信号の切り替えは、ユーザが携帯端末装置１の操作部１８から特定の操作を行った場合に、信号入力先を切り替えるようにしてもよい。また、携帯端末装置１がクレードル２に装着されているか否かを検出し、クレードル２に装着されている場合は、接点１１側に、装着されていない場合は、アンテナ１９側に接続し、接続した側から放送信号を入力するようにしてもよい。
【００４６】
本例では、視聴するチャネルに対応する制御信号は、クレードル２のアンテナ２２で放送信号を受信した場合と、携帯端末装置１のアンテナ１９で受信した場合とで異なる。そのため、情報記憶部１６ａに保存する制御信号テーブル情報にも、予め２種類の制御信号テーブル情報を保存しておく。図１０に、本例による情報記憶部１６ａに保存された制御信号テーブル情報の例を示す。図１０の制御信号テーブル情報には、クレードル２のアンテナ２２で受信した放送信号を用いる場合のＰＷＭ出力とＧＰＩＯ出力の値１０１と、携帯端末装置１のアンテナ１９で受信した放送信号を用いる場合のＰＷＭ出力とＧＰＩＯ出力の値１０２とを定義しておく。
【００４７】
そして、ワンセグを視聴する場合、ＣＰＵ１５は、信号切替え部２０がどちらのアンテナに接続されているかを判断し、情報記憶部１６ａに保存されたチャネル毎の制御信号テーブルを参照して、接続されているアンテナに対応する制御情報を取得する。そして、その情報を基に帯域切替え回路部１２へ制御信号を出力する。帯域切替え回路部１２は、ＣＰＵ１５から入力された制御信号を基に、帯域切替え回路の制御を行い、入力された放送信号の周波数を所定の周波数に切り替える。
【００４８】
このように構成することで、携帯端末装置をクレードルに装着した場合に放送信号を良好に受信するとともに、クレードルに装着せず、携帯端末装置のみを携帯して使用する場合においても、放送信号を良好に受信することができる。
【００４９】
なお、本例によるクレードルには、内蔵アンテナによるワンセグ放送信号の受信の他に、携帯端末装置の充電機能を備えてもよい。また、ＵＳＢポートなどを備え、携帯端末装置を装着し、ＵＳＢポートに周辺機器等を接続することにより、携帯端末装置へ周辺機器を接続する機能を有するように構成することもできる。
【符号の説明】
【００５０】
１…携帯端末装置、２…クレードル、１１…接点、１２…帯域切替え回路部、１３…チューナ部、１４…放送受信回路部、１５…ＣＰＵ、１６…情報記憶部、１７…画像表示部、１８…操作部、１９…アンテナ、２０…信号切替え部、２１…接点、２２…アンテナ、２３…端末装着台、３１…スイッチ、３２…可変抵抗器、３３…ＰＩＮダイオード、３４…バラクタダイオード、３５…コイル、３６ａ、３６ｂ、３６ｃ…チョークコイル、３７ａ、３７ｂ…コンデンサ、３８ａ、３８ｂ…バイパスコンデンサ、３９…抵抗器、４０…制御電圧部、４１ａ、４１ｂ、４１ｃ、４１ｄ、４１ｅ、４１ｆ…接地部、３０１…２状態切替え部、３０２…連続切替え部
【図１】
2010199743.tif 000003
【図２】
2010199743.tif 000004
【図３】
2010199743.tif 000005
【図４】
2010199743.tif 000006
【図５】
2010199743.tif 000007
【図６】
2010199743.tif 000008
【図７】
2010199743.tif 000009
【図８】
2010199743.tif 000010
【図９】
2010199743.tif 000011
【図１０】
2010199743.tif 000012